(57)【要約】【課題】  解決しようとする問題点は、個人的な盗難防止システムとして適用することや、利用環境の変化に柔軟に対応することが困難であった点であり、利用される環境およびその変化に柔軟に対応できる盗難防止システムを提供することにある。【解決手段】  読取装置が、読み取り要求に対して非接触型情報通信体から送出される応答情報を収集し、応答情報と非接触型情報通信体情報と比較し、非接触型情報通信体情報に対して応答情報が欠落している場合、無線通信装置が、読取装置からの通知に基づき、通信網を介して通信端末に対して欠落情報を通知することで実現した。【選択図】図１
2005222125.tif 000002
【特許請求の範囲】
【請求項１】
固有の情報が記憶された１つ又は複数の非接触型情報通信体と、通信可能領域に存在する非接触型情報通信体と非接触で通信して当該非接触型情報通信体からの情報を読み取る読取装置と、前記読取装置と接続され、通信網を介して、予め登録された通信端末と通信可能な無線通信装置とから構成された盗難防止システムであって、前記読取装置は、前記非接触型情報通信体の情報となる非接触型情報通信体情報と、前記無線通信装置と通信可能な前記通信端末の情報となる通信端末情報とが予め記憶され、予め定められた一定周期で前記非接触型情報通信体に対して読み取り要求を送出すると共に、当該読み取り要求に対して前記非接触型情報通信体から送出される応答情報を収集し、前記応答情報と前記非接触型情報通信体情報と比較し、前記非接触型情報通信体情報に対して前記応答情報が欠落している場合には前記無線通信装置に欠落情報を通知し、前記無線通信装置は、前記読取装置からの通知に基づき、前記通信網を介して予め前記読取装置に記憶された前記通信端末情報に基づく前記通信端末に対して欠落情報を通知することを特徴とする盗難防止システム。
【発明の詳細な説明】
【技術分野】
【０００１】
本発明は、非接触型情報通信体を用いて非接触型情報通信体が取り付けられた物品等の所在状況を遠隔から監視を行うことが可能な盗難防止システムに関するものである。
【背景技術】
【０００２】
従来の自動車等に設置される盗難防止システムは、振動や赤外線などによって不審者の侵入を検知し、音や光で警告したり、無線等の通信手段によって利用者に通知するものであった。しかし、上記のシステムは、振動に対する誤動作が多く、例えば走行中の自動車および航空機や船舶内において個人が貴重品等を管理する場合、振動に依る場合は勿論、赤外線の適用も困難であるため、個人的な盗難防止システムとして適用することが困難であった。
また、物品毎の監視を行わないため、利用者が遠隔地に居て盗難に遭った場合、被害品を即座に特定することが出来ず、監視対象を任意に変更するなどの利用環境の変化に柔軟に対応することが困難であった。
【発明の開示】
【発明が解決しようとする課題】
【０００３】
解決しようとする問題点は、個人的な盗難防止システムとして適用することや、利用環境の変化に柔軟に対応することが困難であった点であり、利用される環境およびその変化に柔軟に対応できる盗難防止システムを提供することにある。
【課題を解決するための手段】
【０００４】
本発明は、固有の情報が記憶された１つ又は複数の非接触型情報通信体と、通信可能領域に存在する非接触型情報通信体と非接触で通信して非接触型情報通信体からの情報を読み取る読取装置と、読取装置と接続され、通信網を介して、予め登録された通信端末と通信可能な無線通信装置とから構成された盗難防止システムであって、読取装置は、非接触型情報通信体の情報となる非接触型情報通信体情報と、無線通信装置と通信可能な通信端末の情報となる通信端末情報とが予め記憶され、予め定められた一定周期で非接触型情報通信体に対して読み取り要求を送出すると共に、読み取り要求に対して非接触型情報通信体から送出される応答情報を収集し、応答情報と非接触型情報通信体情報と比較し、非接触型情報通信体情報に対して応答情報が欠落している場合には無線通信装置に欠落情報を通知し、無線通信装置は、読取装置からの通知に基づき、通信網を介して予め読取装置に記憶された通信端末情報に基づく通信端末に対して欠落情報を通知することを特徴とする。
【発明の効果】
【０００５】
本発明の盗難防止システムは、走行中の自動車および航空機や船舶内などの振動の多い環境に対しても提供することが可能である。
また、物品毎に監視を行うため、盗難に遭った場合、利用者が遠隔地に居る場合であっても被害品を即座に特定することが可能である。 
さらに、監視対象となる物品を任意に登録および登録解除することが可能であるため、監視対象を変更したり、異なるシステムに重複して登録するなど、利用環境に応じたシステムの構築および変更が容易である。
【発明を実施するための最良の形態】
【０００６】
読取装置が、読み取り要求に対して非接触型情報通信体から送出される応答情報を収集し、応答情報と非接触型情報通信体情報と比較し、非接触型情報通信体情報に対して応答情報が欠落している場合、無線通信装置が、読取装置からの通知に基づき、通信網を介して通信端末に対して欠落情報を通知することで実現した。
【実施例１】
【０００７】
以下に本発明の実施の形態について図面により説明する。
図１、図２は本発明の実施の形態に係る実施例を示す図であり、図３は本発明の実施の形態に係る非接触型情報通信体の機能ブロック図であり、図４は本発明の実施の形態に係る読取装置と、読取装置に接続された無線通信装置から構成される読取装置ユニットの機能ブロック図である。
また、図５、図６は読取装置に登録されている情報を表で示したものであり、図５は非接触型情報通信体の固有のIDや名称等の情報を、図６は登録されている物品が無くなったことを認識した場合に通知される連絡先としての携帯電話や固定電話などの通信端末の情報を示す。
また、図７は監視対象を登録する場合の通信端末における画面を示し、図８は通信端末によって監視有効にする場合の通信端末における画面を示す。
また、図９は読取装置ユニットの制御部における監視処理のフローチャートである。
なお、以下で説明する機能実現手段は、当該機能を実現できる手段であればどのような回路または装置であっても構わない。 
また、単一の機能実現手段を複数の回路または装置によって実現しても良く、複数の機能実現手段を単一の回路または装置で実現しても良い。
【０００８】
図１において、自動車１０１には、カーステレオ１０４、およびカーナビゲーション装置１０５が搭載されており、カーステレオ１０４、およびカーナビゲーション装置１０５には、それぞれ非接触型情報通信体が容易に取り外し出来ないように取りつけられている。
また、非接触型情報通信体の情報を読み取る読取装置を含む読取装置ユニット１０３も取りつけられている。
利用者１０２は、通信端末１０６によって、カーステレオ１０４、およびカーナビゲーション装置１０５に取りつけられた非接触型情報通信体の固有のIDや名称等の情報および連絡先を、読取装置ユニット１０３に登録している。ここでの登録とは、通信端末１０６と読取装置ユニット１０３にも設けられた無線通信装置４１６でデータ通信を行い、通信端末１０６から通信装置４１６を介して、読取装置に非接触型情報通信体の固有のIDや名称等の情報および連絡先を登録することが可能となっている。
【０００９】
なお、読取装置ユニット１０３において、監視対象となる非接触型情報通信体の固有のIDと当該物品の名称等の情報は図５の形式で登録されており、図５中の“ＩＤ”は当該非接触型情報通信体の固有のIDを、図５中の“名称”は当該非接触型情報通信体が取り付けられている物品の名称を、図５中の“監視”は監視対象としての有効・無効設定を、図５中の“通知”は読取装置ユニット１０３が当該物品が無くなったことを認識した場合に通知を行うか否かの設定を、図５中の“連絡先”は前記通知の宛先を 、図５中の“登録日時”はこれらの情報が登録された日時を表す。
なお、図５中の“連絡先”は図６中の“Ｎｏ”で示され、図６中の“連絡先”と対応する。
また、読取装置ユニット１０３において、当該物品が無くなったことを認識した場合の連絡先は図６の形式で登録されており、図６中の“連絡先”は監視対象の物品が無くなったことを認識した場合の連絡先を、図６中の“属性”は通信手段の属性を、図６中の“登録・削除・監視制御の可否”は前記監視対象となる非接触型情報通信体の固有のIDと当該物品の名称等の情報の登録・削除および監視の停止と開始の設定を行うことが可能か否かを、図６中の“登録日時”はこれらの情報が登録された日時を表す。
【００１０】
なお、図５および図６の情報は、読取装置ユニット１０３の記憶部４０５に格納されており、図６において“登録・削除・監視制御可”に設定されている“Ｎｏ”１の行の情報、即ち通信端末の連絡先等の情報のみ、予め外部Ｉ／Ｆ部４１４に接続された入力装置等の外部装置４１５から直接登録され、その他の情報は電話やＥ−Ｍａｉｌ等で通信端末１０６を用いて登録されている。
ここで、通信端末１０６と読取装置ユニット１０３に設けられた無線通信装置４１６でデータ通信を行い、通信端末１０６から無線通信装置４１６を介して、読取装置に非接触型情報通信体の固有のIDや名称等の情報および連絡先を登録することが可能となっているが、通信端末１０６から読取装置ユニット１０３へは多種の指示、つまりは登録が可能であり、例えば、上記にも一部述べた通り、読取装置ユニットから定期的に行われる非接触型情報通信体に対する読み取り要求による監視を、停止または開始することを可能であったり、監視対象となる物品の非接触型情報通信体の固有のIDと当該物品の名称等の情報、および前記物品が無くなったことを認識した場合の連絡先を、読取装置ユニットに対して１つまたは複数登録および削除することを可能であったり、監視対象となる物品の非接触型情報通信体の固有のIDと当該物品の名称等の情報の登録および削除、物品が無くなったことを認識した場合の連絡先の登録および削除、そして監視の停止または開始の設定は、予め登録された１つまたは複数の接続元からのみ可能としても良いし、読取装置に登録されている監視対象となる物品の各非接触型情報通信体に対して、監視の有効または無効が設定可能であり、有効が設定されている非接触型情報通信体に対しては監視を行い、無効が設定されている非接触型情報通信体に対しては監視を行わないことを可能としても良い。
なお、登録は通信端末１０６と読取装置ユニット１０３に設けられた無線通信装置４１６でデータ通信によって実現され、Ｅ−Ｍａｉｌによって登録する場合の通信端末における表示画面は図７のようになる。
【００１１】
ここで読取装置ユニット１０３は、登録している非接触型情報通信体、即ちカーステレオ１０４、およびカーナビゲーション装置１０５に取りつけられた非接触型情報通信体に対して定期的に読み取り要求を行い、これらの要求に対して複数回連続して読み取り応答が無かった場合、図５、図６に登録されている連絡先に対して、当該物品の名称および非接触型情報通信体固有のID等の情報と共に電話やＥ−Ｍａｉｌ等の手段によって通知を行う。
尚、上記では複数回連続して読み取り応答が無かった場合として実施例を述べているが、一時的な応答処理の不具合等が生じた場合に、その都度毎に通知を行うと、利便性に掛けることも想定される為、複数回連続して読み取り応答が無かった場合としているが、システムが安定して動作すると考えられる場合は、一度の読み取り応答が無かった場合に通知するようにしてもよく、また、一度の読み取り応答が無かった場合には再度読み取り要求をリトライして、応答の信憑性を確認してから通知するようにすることも可能とである。
【００１２】
また、読取装置ユニット１０３に取りつけられたセンサ４１２によって、例えば人の進入や自動車のドアの開閉などを検出して、電話やＥ−Ｍａｉｌ等の手段によってその旨通知を行うことも可能である。
なお、読取装置ユニット１０３は、通知と共にライト４０８およびスピーカー４１０によって光や音声で警告したり、外部Ｉ／Ｆ部４１４を通して、例えば自動車のナビゲーション装置などの外部の表示装置に警告を表示することも可能である。
また、ここでの連絡先は通信端末１０６、および利用者の自宅の固定電話であり、通信端末１０６からは、図５、図６の情報の登録・削除、および監視の停止と開始を、電話やＥ−Ｍａｉｌ等の手段によって行うことが可能である。
【００１３】
また、通知を行うための移動体通信手段が圏外等の理由によって使用できない場合、読取装置ユニット１０３は、無線通信装置４１６からその情報を受信し、ライト４０８およびスピーカー４１０によって光や音声でその旨を警告できるようにすることも可能である。
また、本実施例のようにシステム自体が移動する場合であって、移動体通信手段が圏内から圏外へ移行しようとする場合、読取装置ユニット１０３は、無線通信装置４１６からその情報を受信し、予め登録されている連絡先にその旨を通知できるようにすることも可能である。
【００１４】
次に、利用者１０２が、通信端末１０６およびカメラ１０７を携えて自動車１０１に搭乗する場合、即ち図１から図２の状況に移行する場合、まず読取装置ユニット１０３は、図５に登録されている監視対象となる非接触型情報通信体への定期的な読み取り要求に対する読み取り応答によって、カメラ１０７および通信端末１０６が存在することを認識する。
そして、図５、図６に登録されている連絡先に対して、カメラ１０７の監視を有効にするか否かを、当該物品の名称および非接触型情報通信体固有のID等の情報と共に電話やＥ−Ｍａｉｌ等の手段によって通信端末１０６に通知を行う。
なお、Ｅ−Ｍａｉｌによって通信端末１０６に通知される情報の表示画面、および監視を有効にする場合の設定画面は図８のようになる。
【００１５】
次に、利用者１０２が、通信端末１０６およびカメラ１０７を携えて自動車１０１から離れる場合、即ち図２から図１の状況に移行する場合、まず読取装置ユニット１０３は、図５に登録されている監視対象となる非接触型情報通信体への定期的な読み取り要求に対する読み取り応答によって、カメラ１０７および通信端末１０６が存在しなくなったことを認識する。
そして、図５、図６に登録されている連絡先に対して、カメラ１０７の監視を無効にするか否か、および読取装置ユニット１０３に登録されている当該非接触型情報通信体の固有のID等の情報を図５の情報から削除するか否かを、当該物品の名称および非接触型情報通信体固有のID等の情報と共に電話やＥ−Ｍａｉｌ等の手段によって通信端末１０６に通知を行う。
また、通知を受けた本システムの利用者は、非接触型情報通信体の監視無効の設定、および登録された前記監視対象となる非接触型情報通信体の固有のID等の情報から非接触型情報通信体に関する情報を削除するこを可能としたり、または、読取装置ユニットは、監視対象であって監視無効に設定されている非接触型情報通信体から読み取り応答を受けた場合、予め登録されている連絡先に対して、非接触型情報通信体の固有のIDと物品の名称等の情報と共にその旨通知することを可能としたり、読取装置ユニットが監視対象であって監視無効に設定されている非接触型情報通信体から読み取り応答を受け、予め登録されている連絡先にその旨を通知した場合、通知を受けた利用者は、非接触型情報通信体を監視有効に設定することを可能としてもよい。
また、通信端末１０６によって行われる、図５、図６の情報の登録・削除、監視の停止と開始、および監視の有効化と無効化は、読取装置ユニット１０３、１０３の外部Ｉ／Ｆ部４１４に接続された入力装置等の外部装置４１５から行うことも可能である。
【図面の簡単な説明】
【００１６】
【図１】本発明の実施の形態に係る実施例１
【図２】本発明の実施の形態に係る実施例２
【図３】本発明の実施の形態に係る非接触型情報通信体の機能ブロック図
【図４】本発明の実施の形態に係る読取装置と、読取装置に接続された無線通信装置から構成される読取装置ユニットの機能ブロック図
【図５】本発明の実施の形態に係る、読取装置に登録されている非接触型情報通信体の固有のIDや名称等の情報
【図６】本発明の実施の形態に係る読取装置に登録されている連絡先
【図７】本発明の実施の形態に係る監視対象を登録する場合の通信端末における画面
【図８】本発明の実施の形態に係る監視有効にする場合の通信端末における画面
【図９】本発明の実施の形態に係る読取装置の制御部における監視処理のフローチャート
【符号の説明】
【００１７】
１０１ ・・・ 自動車、１０２ ・・・ 利用者、１０３ ・・・ 読取装置ユニット、１０４ ・・・ カーステレオ、１０５ ・・・ ナビゲーション装置、１０６ ・・・ 通信端末、１０７ ・・・ カメラ、３０１ ・・・ 非接触型情報通信体、３０２ ・・・ アンテナ、３０３ ・・・ 送受信増幅部、３０４ ・・・ 信号処理部、３０５ ・・・ 記憶部、３０６ ・・・ 制御部、４０１ ・・・ 読取装置、４０２ ・・・ アンテナ、４０３ ・・・ 送受信増幅部、４０４ ・・・ 信号処理部、４０５ ・・・ 記憶部、４０６ ・・・ 制御部、４０７ ・・・ 発光部、４０８ ・・・ ライト、４０９ ・・・ 発音部、４１０ ・・・ スピーカー、４１１ ・・・ 検出部、４１２ ・・・ センサ、４１３ ・・・ 表示部、４１４ ・・・ 外部Ｉ／Ｆ部、４１５ ・・・ 外部装置、４１６ ・・・ 無線通信装置、４１７ ・・・ アンテナ、４１８ ・・・ 送受信増幅部、４１９ ・・・ 制御部、４２０ ・・・ 外部Ｉ／Ｆ部、４２１ ・・・ 信号処理部
【図１】
2005222125.tif 000003
【図２】
2005222125.tif 000004
【図３】
2005222125.tif 000005
【図４】
2005222125.tif 000006
【図５】
2005222125.tif 000007
【図６】
2005222125.tif 000008
【図７】
2005222125.tif 000009
【図８】
2005222125.tif 000010
【図９】
2005222125.tif 000011